(57)【特許請求の範囲】
【請求項１】
トンネル栽培用ハウスの骨格を構成し、金属管に合成樹脂からなる被覆層を形成したアーチ状のトンネル栽培用支柱において、トンネル栽培用ハウスの天井部を構成する支柱の上部を除いて帯状又は点鎖状の節を被覆層の表面に形成するとともに、形成する節の間隔を、地中に差し込まれる支柱の両端部の近傍の曲率半径を大きく形成した部分より、前記トンネル栽培用ハウスの天井部を構成する支柱の上部に続く曲率半径を小さく形成した部分の方が小さくなるようにしたことを特徴とするトンネル栽培用支柱。
【請求項２】
少なくとも支柱上部の被覆層の周面に、支柱の長手方向に延びるローレット模様を形成したことを特徴とする請求項１記載のトンネル栽培用支柱。
【請求項３】
支柱の両端部に水密性を有するキャップを備えたことを特徴とする請求項１又は２記載のトンネル栽培用支柱。
【請求項４】
被覆層が、ポリオレフィン系樹脂からなることを特徴とする請求項１、２又は３記載のトンネル栽培用支柱。
【請求項５】
支柱の差し込み作業を行う際の目印となる複数個の補助節を備えたことを特徴とする請求項１、２、３又は４記載のトンネル栽培用支柱。
【発明の詳細な説明】
【０００１】
【発明の属する技術分野】
本発明は、トンネル栽培用ハウスの骨格を構成するアーチ状の支柱に関し、特に、金属管に合成樹脂からなる被覆層を形成するとともに、被覆層の表面に帯状又は点鎖状の節を形成したアーチ状のトンネル栽培用支柱に関するものである。
【０００２】
【従来の技術】
トンネル栽培用ハウスは、通常、図６に示すように、アーチ状に湾曲させた支柱１０を、所定の間隔をおいて立設するとともに、この支柱１０にハウスの覆いをなすポリ塩化ビニル等の合成樹脂シート７を被せることによって、ハウスを形成し、植物に対して、保温や雨、霜除け等の役割を果たすものである。
【０００３】
ところで、従来、トンネル栽培用支柱１０には、例えば、鋼管等の金属管に合成樹脂からなる被覆層を形成したアーチ状のものが多用されている。
【０００４】
【発明が解決しようとする課題】
しかしながら、従来のトンネル栽培用支柱１０は、合成樹脂からなる平滑な被覆層の表面に、ハウスの覆いをなす合成樹脂シート７が、長時間密着することにより、特に、夏場の炎暑による温度上昇の影響によって、合成樹脂シート７の可塑剤が支柱１０の合成樹脂からなる被覆層に移行すること等によって、合成樹脂シート７が劣化したり、支柱１０の表面に付着したりし、換気のために合成樹脂シート７をたくし上げた際に破れが生じるという問題があった。
【０００５】
また、支柱の表面に突起を設けることによって、合成樹脂シートとの接触面積を小さくしたトンネル栽培用支柱もあるが、トンネル栽培用ハウスは通常、複数のものが並列に設置されることから、灌水の際に、ホースをトンネル栽培用ハウスの上部に這わせることがあり、このホースが移動した場合に、合成樹脂シートが支柱の突起に引っ掛かって傷つくおそれがあった。
【０００６】
本発明は、上記従来のトンネル栽培用支柱の有する問題点に鑑み、合成樹脂シートがたくし上げられる支柱の下部では、合成樹脂シートの劣化と支柱表面への付着を防止するとともに、灌水ホースを這わせたときに灌水ホースが当たる支柱の上部では、突起への引っ掛かりによる合成樹脂シートの傷つきを防止することができるトンネル栽培用支柱を提供することを目的とする。
【０００７】
【課題を解決するための手段】
上記の目的を達成するため、本発明のトンネル栽培用支柱は、トンネル栽培用ハウスの骨格を構成し、金属管に合成樹脂からなる被覆層を形成したアーチ状のトンネル栽培用支柱において、トンネル栽培用ハウスの天井部を構成する支柱の上部を除いて帯状又は点鎖状の節を被覆層の表面に形成するとともに、形成する節の間隔を、地中に差し込まれる支柱の両端部の近傍の曲率半径を大きく形成した部分より、前記トンネル栽培用ハウスの天井部を構成する支柱の上部に続く曲率半径を小さく形成した部分の方が小さくなるようにしたことを特徴とする。
【０００８】
このトンネル栽培用支柱では、帯状又は点鎖状の節を支柱の上部を除いて形成したことから、合成樹脂シートがたくし上げられる支柱の下部では、節で合成樹脂シートを支柱表面から浮くように支持することにより、合成樹脂シートの劣化と支柱表面への付着を防止するとともに、灌水ホースが当たる支柱の上部では、節をなくすことにより、節への引っ掛かりによる合成樹脂シートの傷つきを防止することができる。
また、ハウス内の換気等を行うために、ハウスの覆いをなす合成樹脂シートを部分的に開放する場合に、節を形成した部分において合成樹脂シートの滑りが生じにくく、支柱に保持されやすくなるため、合成樹脂シートを安定した状態で部分的に開放することができ、また、換気等を行った後の復旧作業を簡易に行うことができる。
【０００９】
さらに、節の間隔を、支柱の曲率半径が大きい部分より小さい部分の方が小さくなるようにすることにより、支柱の曲率半径の小さい部分においても、合成樹脂シートの支柱表面への密着を防止し、合成樹脂シートの劣化と支柱表面への付着を防止することができる。
【００１０】
また、少なくとも支柱上部の被覆層の周面に、支柱の長手方向に延びるローレット模様を形成することができる。
この場合、ローレット模様は、支柱の軸に対して平行に形成するほか、支柱の軸に対して所定の角度を有する螺旋状に形成することができる。
【００１１】
これにより、節のない支柱の上部においても、合成樹脂シートの支柱表面への密着を防止し、合成樹脂シートの劣化と支柱表面への付着を防止することができる。
【００１２】
さらに、支柱の両端部に水密性を有するキャップを備えることができる。
【００１３】
これにより、支柱の中空部に雨水や散水が入って鋼管等の金属管が錆びることを防止し、支柱の耐久性を向上することができる。
【００１４】
また、被覆層を、ポリオレフィン系樹脂から構成することができる。
【００１５】
これにより、合成樹脂シートの可塑剤が支柱の合成樹脂からなる被覆層に移行することを防止することができ、合成樹脂シートが支柱の表面に付着したり、劣化することを防止することができるとともに、トンネル栽培用支柱の使用時及び使用後廃棄処分した場合の環境ホルモンの悪影響がなく、また、焼却処分しても塩素ガス等の有害物質の発生がない。
【００１６】
また、支柱の差し込み作業を行う際の目印となる複数個の補助節を備えることができる。
【００１７】
これにより、所定の間隔をおいて立設するトンネル栽培用支柱の高さを簡単に揃えることができ、合成樹脂シートの特定の支柱表面への密着を防止し、合成樹脂シートの劣化と支柱表面への付着を防止することができるとともに、支柱に必要とされる支持力を正確に得て、支柱が倒れたりすることを確実に防止することができる。
【００１８】
【発明の実施の形態】
以下、本発明のトンネル栽培用支柱の実施の形態を図面に基づいて説明する。
【００１９】
図１〜図３に、本発明のトンネル栽培用支柱の農園芸用支柱の一実施例を示す。
【００２０】
このトンネル栽培用支柱１は、トンネル栽培用ハウスの骨格を形成するもので、鋼管等の金属管２の表面に、必要に応じて接着剤層３を介して、合成樹脂からなる被覆層４が形成されている。
なお、後述のように、被覆層４を形成する合成樹脂にポリオレフィン系樹脂を用いる場合には、接着剤層３は不要である。
支柱１の両端部には、水密性を有するキャップ６が配設されており、このキャップ６は、支柱１を地中に差し込む際の抵抗を小さくするために、先端を円錐状に尖らせた凸形形状のものが用いられている。
このように、支柱１の両端部に水密性を有するキャップ６を配設することにより、支柱１の中空部に雨水や散水が入って鋼管等の金属管２が錆びることを防止し、支柱１の耐久性を向上させることができる。
【００２１】
そして、本実施例のトンネル栽培用支柱１では、被覆層４の表面に帯状の節５形成するが、この節５は、トンネル栽培用ハウスの天井部を構成する支柱の上部１ａを除き、ハウスの壁部を構成する支柱１の下部１ｂのみに形成されている。
この節５の間隔Ｌは、通常は、図１に示すように等間隔（参考例）（又は不等間隔）とするが、支柱の曲率半径が大きい部分より小さい部分の方が小さくなるようにすることもできる。
これにより、支柱の曲率半径の小さい部分においても、合成樹脂シートの支柱表面への密着を防止し、合成樹脂シートの劣化と支柱表面への付着を防止することができる。
【００２２】
また、支柱上部１ａの被覆層４の周面には、例えば、図４（ａ）に示すように、支柱の長手方向に延びるローレット模様を形成することができ、これにより、節５のない支柱１の上部１ａにおいても、合成樹脂シートの支柱表面への密着を防止し、合成樹脂シートの劣化と支柱表面への付着を防止することができる。
この場合、ローレット模様は、支柱の軸に対して平行に形成するほか、支柱の軸に対して所定の角度を有する螺旋状に形成することもできる。
このローレット模様は、図４（ａ）や図５に示すように、節５を設けた支柱１の下部１ｂにも形成することができる。
【００２３】
一方、節５の形状は、帯状の節の場合は、例えば、図２（ａ）に示すように、断面が円形の節５や、図４（ａ）に示すように、周面がローレット模様となる節５、あるいは図４（ｃ）に示すように、断面が多角形状の節５等を採用することができ、さらに、図２（ｂ）や図４（ｂ）（ｄ）に示すように、支柱１の表面もこれに対応して種々の形状とすることができる。
なお、図では省略しているが、節５の形状は、帯状に連続しない点鎖状の節とすることもできる。
【００２４】
また、トンネル栽培用支柱１の両端部の被覆層４には、支柱１の差し込み作業を行う際の目印となる補助節５Ａを形成することができる。
この補助節５Ａは、図１（ａ）（ｄ）に示すように、他の節５と同じ形状に形成し、最下端の節５と兼用するようにすることもできるが、図１（ｅ）に示すように、複数個（本実施例においては２個としているが、３個以上とすることもできる。）の補助節５Ａ1、５Ａ2、・・・を、支柱１の両端部に配設したキャップ６を基準として所定高さＨ1、Ｈ2、・・・の位置に形成することが望ましい。
この場合、特に限定されるものではないが、例えば、最下端の補助節５Ａ1を高さＨ1：１５０〜３００ｍｍ、好ましくは、２００ｍｍ程度の位置に、次の補助節５Ａ2を高さＨ2：２００〜５００ｍｍ、好ましくは、３００ｍｍ程度の位置に、それぞれ形成するようにする。このように、補助節５Ａ1、５Ａ2間の間隔Ｌ0は、５０〜２００ｍｍ、好ましくは、１００ｍｍ程度と、他の節５の間隔Ｌ（通常、１０〜２０ｍｍ程度）よりも大きく設定するようにする。
このように、トンネル栽培用支柱１に、支柱１の差し込み作業を行う際の目印となる補助節５Ａ、５Ａ1、５Ａ2、・・・を、好ましくは、複数個を備えることにより、所定の間隔をおいて立設する支柱１の高さを簡単に揃えることができ、合成樹脂シートが特定の支柱表面へ密着することを防止し、合成樹脂シートの劣化と支柱表面への付着を防止することができるとともに、支柱１に必要とされる支持力を正確に得て、支柱１が倒れたりすることを確実に防止することができるものとなる。
また、トンネル栽培用支柱１の差し込み作業を行う際には、支柱下部１ｂの節５及び補助節５Ａ、５Ａ1、５Ａ2、・・・をグリップとして利用することができ、作業性を向上させることができる。
【００２５】
ところで、このトンネル栽培用支柱１は、上記のとおり、金属管２の表面に、必要に応じて接着剤層３を介して（なお、被覆層４を形成する合成樹脂にポリオレフィン系樹脂を用いる場合は不要。）、合成樹脂からなる被覆層４を連続押し出しすることにより形成されるが、被覆層４を連続押し出しする際、金型を押し出し方向の前後に摺動運動させることにより、節５を形成するようにしている。
この節５を形成する位置及びその形状は、金型の押し出し方向の前後に摺動運動のさせ方を調節すること等によって、容易に変更することができることから、特に、節５と接触する合成樹脂シートに傷がつかないように、節５の表面は、滑らかに形成することが望ましい。
【００２６】
また、被覆層４を形成する合成樹脂やキャップ６を形成する合成樹脂には、塩化ビニル系樹脂等の熱可塑性樹脂を用いることもできるが、ポリエチレン、ポリプロピレン、ポリブテン等のポリオレフィン系樹脂を用いることが好ましい。
これにより、合成樹脂シートの可塑剤が支柱１の合成樹脂からなる被覆層４に移行することを防止することができ、合成樹脂シートが支柱１の表面に付着したり、劣化することを防止することができるとともに、農園芸用支柱１の使用時及び使用後廃棄処分した場合の環境ホルモンの悪影響がなく、また、焼却処分しても塩素ガス等の有害物質の発生がない。
【００２７】
さらに、被覆層４を形成する合成樹脂やキャップ６を形成する合成樹脂には、少なくともその表層に、防かび剤、昆虫忌避性着色剤、昆虫忌避剤の少なくとも１種を含有させることができる。
これにより、農園芸用支柱に防かび性、昆虫忌避性を選択的に付与することができ、青果物の無農薬栽培等に好適に用いることができる。
【００２８】
このように、本実施例のトンネル栽培用支柱１では、帯状又は点鎖状の節５を支柱１の上部１ａを除いて形成したことから、合成樹脂シートがたくし上げられる支柱１の下部１ｂでは、節５で合成樹脂シートを支柱表面から浮くように支持することにより、合成樹脂シートの劣化と支柱表面への付着を防止するとともに、灌水ホースが当たる支柱の上部１ａでは、節をなくすことにより、節５への引っ掛かりによる合成樹脂シートの傷つきを防止することができる。
また、トンネル栽培用ハウス内の換気等を行うために、ハウスの覆いをなす合成樹脂シートを部分的に開放する場合に、節５を形成した部分において合成樹脂シートの滑りが生じにくく、支柱に保持されやすくなるため、合成樹脂シートを安定した状態で部分的に開放することができ、また、換気等を行った後の復旧作業を簡易に行うことができる。
【００２９】
以上、本発明のトンネル栽培用支柱について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【００３０】
【発明の効果】
本発明のトンネル栽培用支柱によれば、帯状又は点鎖状の節を支柱の上部を除いて形成したことから、合成樹脂シートがたくし上げられる支柱の下部では、節で合成樹脂シートを支柱表面から浮くように支持することにより、合成樹脂シートの劣化と支柱表面への付着を防止するとともに、灌水ホースが当たる支柱の上部では、節をなくすことにより、節への引っ掛かりによる合成樹脂シートの傷つきを防止することができる。
また、ハウス内の換気等を行うために、ハウスの覆いをなす合成樹脂シートを部分的に開放する場合に、節を形成した部分において合成樹脂シートの滑りが生じにくく、支柱に保持されやすくなるため、合成樹脂シートを安定した状態で部分的に開放することができ、また、換気等を行った後の復旧作業を簡易に行うことができる。
【００３１】
また、節の間隔を、支柱の曲率半径が大きい部分より小さい部分の方が小さくなるようにすることにより、支柱の曲率半径の小さい部分においても、合成樹脂シートの支柱表面への密着を防止し、合成樹脂シートの劣化と支柱表面への付着を防止することができる。
【００３２】
さらに、少なくとも支柱上部の被覆層の周面に、支柱の長手方向に延びるローレット模様を形成することにより、節のない支柱の上部においても、合成樹脂シートの支柱表面への密着を防止し、合成樹脂シートの劣化と支柱表面への付着を防止することができる。
【００３３】
そして、支柱の両端部に水密性を有するキャップを備えることにより、支柱の中空部に雨水や散水が入って鋼管等の金属管が錆びることを防止し、支柱の耐久性を向上することができる。
【００３４】
また、被覆層を、ポリオレフィン系樹脂から構成することにより、合成樹脂シートの可塑剤が支柱の合成樹脂からなる被覆層に移行することを防止することができ、合成樹脂シートが支柱の表面に付着したり、劣化することを防止することができるとともに、トンネル栽培用支柱の使用時及び使用後廃棄処分した場合の環境ホルモンの悪影響がなく、また、焼却処分しても塩素ガス等の有害物質の発生がない。
【００３５】
また、支柱の差し込み作業を行う際の目印となる複数個の補助節を備えることにより、所定の間隔をおいて立設するトンネル栽培用支柱の高さを簡単に揃えることができ、合成樹脂シートの特定の支柱表面への密着を防止し、合成樹脂シートの劣化と支柱表面への付着を防止することができるとともに、支柱に必要とされる支持力を正確に得て、支柱が倒れたりすることを確実に防止することができる。
【図面の簡単な説明】
【図１】  本発明のトンネル栽培用支柱の一実施例を示し、（ａ）は正面図、（ｂ）は平面図、（ｃ）は底面図、（ｄ）は右側面図、（ｅ）は補助節の説明図である。
【図２】  同実施例のトンネル栽培用支柱を示し、（ａ）は図１のＡ−Ａ線断面図、（ｂ）は図１のＢ−Ｂ線断面図である。
【図３】  同構造を示す一部断面斜視図である。
【図４】  本発明のトンネル栽培用支柱の変形例を示し、（ａ）は図１のＡ−Ａ線断面相当図、（ｂ）は図１のＢ−Ｂ線断面相当図、（ｃ）は他の変形例を示す図１のＡ−Ａ線断面相当図、（ｄ）は同、図１のＢ−Ｂ線断面相当図である。
【図５】  本発明のトンネル栽培用支柱の変形例を示す要部の拡大図である。
【図６】  トンネル栽培用ハウスの斜視図である。
【符号の説明】
１    支柱
１ａ  支柱の上部
１ｂ  支柱の下部
２    金属管
３    接着剤層
４    被覆層
４１  ローレット模様
５    節
５Ａ、５Ａ1、５Ａ2  補助節
６    キャップ
７    合成樹脂シート
【図１】
0004536906.tif 000002
【図２】
0004536906.tif 000003
【図３】
0004536906.tif 000004
【図４】
0004536906.tif 000005
【図５】
0004536906.tif 000006
【図６】
0004536906.tif 000007